(57)【要約】【課題】従来のキャリーケースにおける２本のキャリーバー又は平板状のキャリーバーの代わりとなる持ち手を採用し、キャリーケース内の収納スペースを広く使えるようにする。【解決手段】キャリーケース１において、複数のキャスタ１４と、キャリーケース１の上面の所定の位置に延びている回動軸を中心として、折り畳まれた位置と立ち上げられた位置との間で変化するように回動可能に構成された持ち手２と、を備え、持ち手２は、折り畳まれた位置においては、キャリーケース１の外面に沿って延在する一方で、立ち上げられた位置においては、概ね垂直方向に延在することを特徴とする、折り畳み式持ち手を備えるキャリーケース１を提供する。【選択図】  図１
0003218313.tif 000002
【実用新案登録請求の範囲】
【請求項１】
キャリーケースにおいて、
複数のキャスタと、
該キャリーケースの上面の所定の位置に延びている回動軸を中心として、折り畳まれた位置と立ち上げられた位置との間で変化するように回動可能に構成された持ち手と、
を備え、
上記持ち手は、上記折り畳まれた位置においては、該キャリーケースの外面に沿って延在する一方で、上記立ち上げられた位置においては、概ね垂直方向に延在することを特徴とする、折り畳み式持ち手を備えるキャリーケース。
【請求項２】
該キャリーケースが身側シェル及び蓋側シェルを備え、
上記回動軸が、上記身側シェルと蓋側シェルの合せ目に沿って設けられたフレームの上面に沿って延びていることを特徴とする、請求項１に記載の折り畳み式持ち手を備えるキャリーケース。
【請求項３】
上記折り畳まれた位置において上記持ち手の先端側が該キャリーケースの一側面に沿って延在するように、上記持ち手が途中で概ね直角に折れ曲がっていることを特徴とする、請求項１又は請求項２に記載の折り畳み式持ち手を備えるキャリーケース。
【請求項４】
上記一側面に突出部が形成されており、
上記持ち手の先端側が上記突出部と係合ないし嵌合し得る形状に形成されていることを特徴とする、請求項３に記載の折り畳み式持ち手を備えるキャリーケース。
【請求項５】
上記持ち手は、上記折り畳まれた位置又は上記立ち上げられた位置となる方向へ付勢されていることを特徴とする、請求項１〜４のいずれかに記載の折り畳み式持ち手を備えるキャリーケース。
【考案の詳細な説明】
【技術分野】
【０００１】
本考案は、キャリーケースに関し、詳しくは、従来のキャリーケースの概ね垂直方向に伸縮するキャリーバーの代わりとなる折り畳み式の持ち手を備えるキャリーケースに関する。
【背景技術】
【０００２】
従来のキャリーケースにおいては、キャリーケース内に、概ね垂直方向に伸縮する２本のキャリーバー支持桿を格納するためのスペースを必要とするだけでなく、２本のキャリーバー支持桿の間が有効に利用できずにデッドスペース（使われない空間）となっていた。
【０００３】
特許文献１に記載の発明は、持ち手を平板状の形状に形成することにより、キャリーケース内の収納スペースを有効に使えるようにしている。しかし、特許文献１に記載の発明のように平板状のキャリーバーを備えるキャリーケースであっても、キャリーケース内の収納スペースを多少は侵食してしまう。
【先行技術文献】
【特許文献】
【０００４】
【特許文献１】特開２０１５−１３６３９８号公報
【特許文献２】実用新案登録第３１７７６７５号公報
【特許文献３】実用新案登録第３２０５１１６号公報
【考案の概要】
【考案が解決しようとする課題】
【０００５】
従来のキャリーケースにおける２本のキャリーバー又は平板状のキャリーバーの代わりとなる持ち手を採用することにより、キャリーケース内の収納スペースを広く使えるようにする。
【課題を解決するための手段】
【０００６】
本考案の一実施例においては、キャリーケースにおいて、複数のキャスタと、キャリーケースの上面の所定の位置に延びている回動軸を中心として、折り畳まれた位置と立ち上げられた位置との間で変化するように回動可能に構成された持ち手と、を備え、持ち手は、折り畳まれた位置においては、キャリーケースの外面に沿って延在する一方で、立ち上げられた位置においては、概ね垂直方向に延在することを特徴とする、折り畳み式持ち手を備えるキャリーケースを提供する。
【０００７】
さらなる実施例においては、キャリーケースが身側シェル及び蓋側シェルを備え、回動軸が、身側シェルと蓋側シェルの合せ目に沿って設けられたフレームの上面に沿って延びていることを特徴とする。
【０００８】
他の実施例においては、折り畳まれた位置において持ち手の先端側がキャリーケースの一側面に沿って延在するように、持ち手が途中で概ね直角に折れ曲がっている。ただし、本明細書及び実用新案登録請求の範囲において、一側面とは、キャリーケースの６つの面のうちの上面と底面以外の４つの面（正面及び背面を含む）のいずれかの面のこととする。
【０００９】
また、一側面に突出部が形成されており、持ち手の先端側が突出部と係合ないし嵌合し得る形状に形成されている。
【００１０】
さらに他の実施例においては、持ち手は、折り畳まれた位置又は立ち上げられた位置となる方向へ付勢されている。
【図面の簡単な説明】
【００１１】
【図１】キャリーケースの持ち手が折り畳まれる方向を示す図。
【図２】キャリーケースの一側面に形成された溝に係合された持ち手を示す図。
【図３】キャリーケース１の持ち手が折り畳まれる前後の変化を別角度から示す図。
【考案を実施するための形態】
【００１２】
本考案のキャリーケースについて、添付の図を参照しつつ以下に説明する。
【００１３】
図１は、本考案の一実施例におけるキャリーケース１を概略的に示す斜視図である。本考案のキャリーケースは、シェルを有しない型式のキャリーケースである場合もあれば、蓋側シェル６と身側シェル８を有する型式のキャリーケース１である場合もある。
【００１４】
本考案のキャリーケース１は、該キャリーケース１の上面の所定の位置に延びている回動軸を中心として、折り畳まれた位置と立ち上げられた位置との間で変化するように回動可能に構成された持ち手２を備える。
【００１５】
持ち手２の長さ寸法は、キャリーケース１の大きさなどに応じて異なり得る。例えば、比較的高いキャリーケース１に設けられる持ち手２については寸法が短くてもよいが、比較的低いキャリーケース１に設けられる持ち手２については寸法を長くする必要がある。
【００１６】
キャリーケース１の使用者は、図１において矢印Ａで示される方向へ持ち手２を回動させることにより持ち手２を折り畳むことができる。
【００１７】
一実施例においては、持ち手２が途中で概ね直角に折れ曲がっており、持ち手２が折り畳まれた位置において、持ち手２の先端側がキャリーケース１の一側面に届くほど長い寸法を有している。
【００１８】
図２は、本考案の一実施例におけるキャリーケース１の正面図である。一実施例においては、キャリーケース１の一側面に種々の形状の突出部１０が形成されており、持ち手２の折れ曲がった先端側が、キャリーケース１の一側面に形成されている突出部１０と係合ないし嵌合し得る形状に形成されている。例えば、持ち手２の先端側に、突出部１０と係合し得る形状の１つ又は複数の開口が形成されている。これにより、持ち手２が折り畳まれたときに、持ち手２の先端側が突出部１０と係合ないし嵌合する。突出部１０と係合ないし嵌合することにより、折り畳まれた持ち手２が不意に動いてしまうことがない。
【００１９】
図３は、キャリーケース１の持ち手２が回動式に折り畳まれる変化の前後を図１及び図２とは別の角度から示している。一実施例においては、キャリーケース１の硬質なフレーム４の上面に沿って持ち手２が設けられている。この持ち手２は、図３において矢印Ａで示される方向に折り畳まれ、折り畳まれた持ち手２の先端側が、図３において矢印Ｂで示されているように、キャリーケースの一側面に形成されている突出部１０と係合し得る。
【００２０】
他の実施例においては、キャリーケースの一側面に形成されている突出部を利用しない別の方法で、持ち手２が折り畳まれた位置に保持され得る。例えば、適切なマグネットの磁力を利用して、持ち手２が折り畳まれた位置に保持される場合がある。
【００２１】
本考案のキャリーケース１は、このような折り畳み式の持ち手２を備えることにより、従来品と比較して、キャリーケース１内の収納スペースを広く使うことができるという利点がある。
【００２２】
一実施例においては、キャリーケース１の一側面の上辺に沿って第１のグリップハンドル１２が設けられているとともに、同じ側面の下辺に沿って第２のグリップハンドル１３が設けられている。キャリーケース１の使用者は、電車などに乗った際に、キャリーケースを持ち上げて座席上方の棚の上にキャリーケース１を乗せたり、棚から降ろしたりすることがあるが、自分の両手を使って第１のグリップハンドル１２と第２のグリップハンドル１３を握ることにより、キャリーケース１を安定よく持ち上げることができる。
【００２３】
本考案のさらなる実施例においては、持ち手２が折り畳まれた位置又は立ち上げられた位置となる方向へ付勢されるように、ねじりバネや板バネ等の付勢手段がキャリーケース１に使用されている。キャリーケース１の用途などに応じて、強いバネの弾性力で付勢されている場合もあれば、弱いバネの弾性力で付勢されている場合もある。
【００２４】
例えば、付勢手段によって折り畳まれた位置となる方向へ弱いバネで付勢されている場合には、キャリーケース１を使い終わった使用者が持ち手２から自分の手を離すだけで、図３において矢印Ａで示される方向へ自動的にゆっくりと折り畳まれる。
【００２５】
また、付勢手段によって立ち上げられた位置となる方向へ強いバネで付勢されている場合には、キャリーケース１の使用者が、図３の矢印Ｂで示される係合を解除するだけで、持ち手２が直ちに立ち上がるという利点がある。
【符号の説明】
【００２６】
１…キャリーケース
２…持ち手
４…フレーム
６…身側シェル
８…蓋側シェル
１０…突出部
１２…第１のグリップハンドル
１３…第２のグリップハンドル
１４…キャスタ
１６…底足  
１８…サイドハンドル
【図１】
0003218313.tif 000003
【図２】
0003218313.tif 000004
【図３】
0003218313.tif 000005